(57)【要約】【課題】蓋体からの水漏れの無いリント捕獲手段を備えた洗濯機を提供すること。【解決手段】平面形状が洗濯機の前後方向に長辺を有する矩形の容器状のリント捕獲箱６と、リント捕獲箱６の上方に蓋体５と、蓋体５を開閉自在に軸支する蝶番機構１７および開閉機構の操作部９とを備え、蓋体５にはゴムパッキン１１を装着してリント捕獲箱６の上縁部６ｄに水密的に当接させ、かつ蓋体５には変形防止リブ１３を垂下形成しリント捕獲箱側壁６ｃの変形を防止し、リント捕獲箱６と蓋体５の材質を、タルク入りのポリプロプレン（ＰＰＦ）材を使用したので、長期使用においても熱によって蓋体の長手方向の変形が発生することなく、水漏れすることがない。【選択図】図３
2010088762.tif 000002
【特許請求の範囲】
【請求項１】
洗濯機本体内に収められた水槽と、前記水槽内に洗濯脱水回転可能に設けた回転槽と、前記水槽内の水を前記洗濯機本体の排水ホース導出部から排出する排水ホースと、前記排水ホースに接続し平面形状が洗濯機本体の前後方向に長辺を有する矩形の容器状のリント捕獲箱と、前記リント捕獲箱の上方に蓋体と、前記蓋体を開閉自在に軸支する蝶番機構と前記蝶番機構の対面側に前記蓋体の開閉機構の操作部とを備え、前記蓋体にはゴムパッキンを装着して前記リント捕獲箱の上縁部に水密的に当接させ、前記蓋体には前記リント捕獲箱側壁の変形倒れこみを防止する変形防止リブを垂下形成し、前記リント捕獲箱と前記蓋体の材質を、タルク入りのポリプロプレン材を使用した洗濯機。
【請求項２】
開閉機構の操作部は、材質にポリアセタール樹脂を使用した請求項１に記載の洗濯機。
【請求項３】
ゴムパッキンは、ゴム硬度を２０度前後に設定した請求項１または２に記載の洗濯機。
【発明の詳細な説明】
【技術分野】
【０００１】
本発明は、リント捕獲手段を備えた洗濯機に関するものである。
【背景技術】
【０００２】
従来、この種の洗濯機は、洗濯、すすぎ、脱水、及び乾燥運転時に発生するリントを効果的に捕獲する手段を洗濯機本体内に設けることが技術的に困難である場合に、洗濯機本体外に導出された排水ホース途中に外部型リント捕獲箱を設ける手段が考えられている（例えば、特許文献１参照）。
【０００３】
図４、図５は、特許文献１に記載された従来のリント捕獲箱を備えた洗濯機を示すものである。
【０００４】
図４の要部構成図に示すように、リント捕獲箱５３は、洗濯機外箱２１の側面側に配置された排水接続口４７に接続した第１の排水ホース４６ａに入水口５０を接続して洗濯水を流入し、内部でリントを捕獲した後、反対側の出水口５１に接続した第２の排水ホース４６より機外に流出させる、いわゆる外部型のリント捕獲手段を示している。
【０００５】
第１の排水ホース４６ａに接続するリント捕獲箱５３の入水口５０と第２の排水ホース４６を接続する出水口５１とは、リント捕獲箱５３の前後に配管された対面構造にして、入水口５０側から出水口５１側方向に排水を流し、内部のリントフィルタ６１でリントを捕獲する構造となっている。
【０００６】
図５の外観斜視図に示すように、リント捕獲箱５３は、洗濯機本体の側面に配置する構成上、横幅Ｃ寸法は大きくできない為、縦寸法Ｄを長く構成した平面形状が矩形の縦長形状としている。これは糸屑等のリントを多量に捕獲する容量を増やし、掃除回数を減らすためにはできるだけ縦寸法Ｄを長く構成するのが効果的であるからである。
【０００７】
また、リント捕獲箱５３の上方に開閉自在に蓋体５４を配し、内方に格子状の捕獲部６１ａを有する糸くず捕獲用のリントフィルタ６１をガイド溝６２に収納して、リント捕獲箱５３より着脱可能に配設し、掃除を容易に行なえるようにしている。
【０００８】
また、蓋体５４の構成は、出水口５１側に蓋体５４を開閉自在に軸支するヒンジ部５５を有し、対面側（入水口５０側）に蓋体５４との間で係脱する止メ具５６を構成し、蓋体５４を閉じた状態に保持できるようにしている。
【０００９】
リント捕獲箱５３の開口周縁には、外方に突設された鍔部５７を有し、この上面凹部にはゴム等の弾性体材質のパッキン５８が埋設され、一方これに対向する蓋体５４の周縁部にはリブ５９が突設され、蓋５４を閉じた時リブ５９がパッキン５８を弾力的に圧接し、水漏れの無い水密状態を得る構成である。
【００１０】
また、蓋体５４の材質やリント捕獲箱５３や止メ具５６の材質は、洗剤や漂白剤等洗浄補助剤に強くて生産性の良い合成樹脂、例えばポリプロプレン材料（ＰＰ）等で構成していた。
【特許文献１】特開２００２−１５９７９０号公報
【発明の開示】
【発明が解決しようとする課題】
【００１１】
しかしながら、前記従来の構成では、蓋体５４の開閉構成は、リント捕獲箱５３の短辺側（図５のＣ側）に蓋体５４を軸支するヒンジ部５５を有し、対面側に蓋体の開閉機構の止メ具５６を構成しているため、蓋体は長手方向の方持ち構造となり、長期使用により蓋体５４全体の変形を生じ、パッキン５８の締め代が確保できず蓋体部から水漏れしてしまう可能性があった。
【００１２】
さらに蓋体５４のリブ５９の長期使用時の変形によって蓋体５４を閉める押さえ代が減少し、パッキン５８の締め代が確保できず、圧接部から水漏れしてしまうという課題があった。
【００１３】
またさらにパッキン５８の反発力によって長期使用時に蓋体５４が経年変化し、パッキン５８の締め代が確保できず水漏れしてしまうという課題もあった。
【００１４】
本発明は上記課題を解決するものであり、長期使用でも蓋体からの水漏れの無いリント捕獲手段を備えた洗濯機を提供することを目的とする。
【課題を解決するための手段】
【００１５】
上記の目的を達成するために、本発明の洗濯機は、洗濯機本体内の水槽内の水を排水ホース導出部から排出する排水ホースと、前記排水ホースに接続した、蓋体を有する平面形状が洗濯機本体の前後方向に長辺を有する矩形の容器状のリント捕獲箱と、前記リント捕獲箱の上方に蓋体と、前記蓋体を開閉自在に軸支する蝶番機構と前記蝶番機構の対面側に前記蓋体の開閉機構の操作部とを備え、前記蓋体にはゴムパッキンを装着して前記リント捕獲箱の上縁部に水密的に当接させ、前記蓋体には前記リント捕獲箱側壁の変形倒れこみを防止する変形防止リブを垂下形成し、前記リント捕獲箱と前記蓋体の材質を、タルク入りのポリプロプレン（ＰＰＦ）材を使用したものである。
【００１６】
これによって、長期使用においても熱などによって蓋体の長手方向の変形が発生することなく、水漏れすることがない。
【発明の効果】
【００１７】
本発明の洗濯機は、外部型のリント捕獲手段の長期使用においても開閉用の蓋体部からの水漏れをなくすことができる。
【発明を実施するための最良の形態】
【００１８】
第１の発明は、洗濯機本体内に収められた水槽と、前記水槽内に洗濯脱水回転可能に設けた回転槽と、前記水槽内の水を前記洗濯機本体の排水ホース導出部から排出する排水ホースと、前記排水ホースに接続し平面形状が洗濯機本体の前後方向に長辺を有する矩形の容器状のリント捕獲箱と、前記リント捕獲箱の上方に蓋体と、前記蓋体を開閉自在に軸支する蝶番機構と前記蝶番機構の対面側に前記蓋体の開閉機構の操作部とを備え、前記蓋体にはゴムパッキンを装着して前記リント捕獲箱の上縁部に水密的に当接させ、前記蓋体には前記リント捕獲箱側壁の変形倒れこみを防止する変形防止リブを垂下形成し、前記リント捕獲箱と前記蓋体の材質を、タルク入りのポリプロプレン材を使用したことにより、熱変形に強く、蓋体の長手方向の変形や、開閉機構の蓋体を押さえるリブの変形を防止し、長期使用における蓋体部からの水漏れを防止する。
【００１９】
第２の発明は、特に第１の発明の開閉機構の操作部は、材質にポリアセタール樹脂を使用したことにより、強度、摺動特性の優れたポリアセタール樹脂により、蓋体の開閉操作性を高めているので、開閉機構の操作部の変形を防止し、長期使用における蓋体部からの水漏れを防止できる。
【００２０】
第３の発明は、特に、第１または第２の発明のゴムパッキンは、ゴム硬度を２０度前後に設定したことにより、ゴムパッキンの反発を軽減でき、蓋体の変形を防止でき、さらなる水漏れ防止ができる。
【００２１】
以下、本発明の実施の形態について、図面を参照しながら説明する。なお、この実施の形態によって本発明が限定されるものではない。
【００２２】
（実施の形態１）
図１（ａ）は、本発明の実施の形態における洗濯機の部分正面図、図１（ｂ）は、同洗濯機のリント捕獲箱設置状態側面図、図２（ａ）は、同洗濯機のリント捕獲箱の断面図、図２（ｂ）は、同洗濯機のリント捕獲箱の要部部分断面図、図３は、同洗濯機のリント捕獲箱の外観斜視図である。
【００２３】
図１（ａ）の部分正面図において、リント捕獲箱６は、洗濯機本体１の側面に配置する構成上、設置場所などの制約では横幅寸法は大きくできない事から全体形状を幅薄く、図１（ａ）に示した幅寸法Ｂを、後述する排水ホース４の外形寸法Ａとほぼ同寸法になるように設定して、省スペースを図っている。
【００２４】
図１（ｂ）のリント捕獲箱設置状態側面図において、洗濯機本体１内に収められた水槽２と、水槽２内に回転可能に設けた回転槽３とを備え、この回転槽３内にて洗濯運転を行う。
【００２５】
排水ホース４は、一端が水槽２の内底部２ａに連通し、他端は洗濯機本体１の排水ホース導出部１０を介してリント捕獲箱６の入水口７に通水可能に接続される。
【００２６】
排水ホース４の外径Ａは、図１（ａ）で前述したように、リント捕獲箱６の横幅Ｂ寸法と近似させている。
【００２７】
リント捕獲箱６には出水口８を設けて、出水側排水ホース１２を接続し、リント捕獲箱６内部でリント、異物等を除去した排水を出水側排水ホース１２から設置床面の排水口１４に排出するように構成し、また内部に溜ったリント等を取り出し排除する為の蓋体５を上部に開閉自在に構成する。
【００２８】
リント捕獲箱６の構成は、入水口７およびリント捕獲後の排水用の出水口８を同一の側面６ａに、かつ入水口７が出水口８に対し上方になるように構成し、入水口７から流入した排水は落差により下方の出水口８に流れる。また、入水口７と反対側の一方の側面６ｂ側には、蓋体５の開閉機構の操作部９を配置しているので、洗濯機前方からの操作性を高めている。
【００２９】
図２（ａ）の断面図において、リント捕獲箱６の構成を説明すると、入水口７から流入したリント等を含む排水は、フィルタ体１５の網目部１５ａで捕捉され、下方の出水口８より排出される。
【００３０】
平面形状が細長の矩形形状のリント捕獲箱６は、入水口７および出水口８側の側面６ａ上方開口縁部に、蓋体５の開閉軸となる蝶番機構１７を設け、一方の側面６ｂ側上方開口縁部に、蓋体５に係合するリブ９ａを有する開閉機構の操作部９を配する。
【００３１】
蓋体５を開放する場合は、開閉機構の操作部９を押圧してリブ９ａと蓋体５との係着を外して、蓋体５を開きリント捕獲箱６の内部に配したフィルタ体１５を取り出して、内部に補足されて溜ったリント等を除去する。
【００３２】
図２（ｂ）の部分断面図は、図２（ａ）のリント捕獲箱６の上縁部および蓋体５のＳＳ部断面を示したもので、蓋体５にはゴムパッキン１１を装着して、リント捕獲箱６の側壁上縁部６ｄに水密的に当接させてリント捕獲箱６との防水を確保する。また、蓋体５の一部に、側壁６ｃに近接して変形防止リブ１３を下方に向けて延設し、リント捕獲箱６の側壁６ｃの外方への変形や倒れこみを抑止する。
【００３３】
ゴムパッキン１１は、断面略矩形で一部に斜面１１ａを形成し、側面６ｃの上縁部６ｄに当接させて密閉状態を構成する。
【００３４】
図３においてリント捕獲箱６内方には洗濯水が充満する構成であるため、平面形状が細長の矩形形状のリント捕獲箱６は、その長手方向の側面６ｃ内部からの水圧により外方に変形しやすい。上記長手方向の側壁６ｃの上縁部６ｄの位置を内方に抱え込み規制するように、蓋体５の長手方向長辺５ａに変形防止リブ１３を一体に垂下形成して、側壁６ｃおよび上縁部６ｄの変形を防止する。
【００３５】
さらに、リント捕獲箱６と蓋体５を構成する材料には、ポリプロプレン樹脂よりも熱膨張係数の小さいタルク入りのポリプロプレン（ＰＰＦ）材を使用する。
【００３６】
また、開閉機構の操作部９には、耐熱性、強度、摺動特性の優れたポリアセタール樹脂（ＰＯＭ）を使用する。
【００３７】
さらに、ゴムパッキン１１のゴム硬度（ＪＩＳＫ６２５３  デュロメータ  タイプＡ）を２０度（Ａ２０）前後の低硬度に設定することでより、ゴムパッキン１１の反発を軽減し、蓋体５の変形を防止する。
【００３８】
以上のように構成された洗濯機のリント捕獲構成について、以下その動作、作用を説明する。
【００３９】
蓋体５とリント捕獲箱６の上縁部との間にゴムパッキン１１を水密的に装着しているので、水漏れの恐れは無い。
【００４０】
蓋体５の長辺５ａには外側からリント捕獲箱６を抱え込む変形防止リブ１３を設けることによって、高水圧がリント捕獲箱６内部にかかった場合でもリント捕獲箱６の長辺部６ｄの変形を防止できるので、ゴムパッキン１１と上縁部６ｄとの接触圧を低下させることなく水漏れ防ぐことができる。
【００４１】
さらに、リント捕獲箱６と蓋体５の材料には、フィラー（配合充填材）としてタルク（水酸化マグネシウムと珪酸塩を主成分の粘土鉱物）を、１０〜２０％配合したポリプロプレン（ＰＰＦ）材を使用することにより、洗剤や洗浄補助剤等に強く、熱変形に強い構成としている。
【００４２】
特に近年、洗濯液に温水を使用して洗浄効果を高める事が多用されるが、高温の排水がリント捕獲箱６に流入された際の、リント捕獲箱６の変形を低減するものである。
【００４３】
また、開閉機構の操作部９には、強度、摺動特性の優れたポリアセタール樹脂（ＰＯＭ）を使用し、蓋体５の開閉操作性を高めているので、図２（ａ）で示した開閉機構の操作部９のリブ９ａの変形を防止し、着脱の繰り返しや長期使用における蓋体部からの水漏れを防止できる。
【００４４】
さらにゴムパッキン１１の硬度を２０度（Ａ２０）前後に設定することでより、ゴムパッキン１１の反発力を軽減できるので、蓋体５の変形を防止でき、より信頼性の高い水漏れ防止が可能となる。
【００４５】
以上のように、本実施の形態においては、リント捕獲箱と蓋体の材料にはタルク入りのポリプロプレン（ＰＰＦ）材を使用し、熱変形を少なくするとともに、開閉機構の操作部にはポリアセタール樹脂（ＰＯＭ）を使用することにより、熱変形に強く、摺動特性に優れているので、蓋体の長手方向の変形や、開閉機構の蓋体を押さえるリブの変形を防止し、長期使用における蓋体部からの水漏れを防止し、さらに蓋体とリント捕獲箱上縁部にゴムパッキンを水密的に装着し、かつゴムパッキンの硬度を２０度（Ａ２０）前後に設定することで、ゴムパッキンの反発を軽減し、蓋体の変形を防止するので、確実な水漏れ防止が可能となる。
【産業上の利用可能性】
【００４６】
以上のように本発明にかかる洗濯機は、外部型のリント捕獲手段の長期使用においても開閉用の蓋体部の水漏れをなくすことができるので、リント捕獲手段を備えた洗濯機として有用である。
【図面の簡単な説明】
【００４７】
【図１】（ａ）本発明の実施の形態１における洗濯機の部分正面図（ｂ）同洗濯機のリント捕獲箱設置状態側面図
【図２】（ａ）同洗濯機のリント捕獲箱部分の断面図（ｂ）同洗濯機のリント捕獲箱の要部部分断面図
【図３】同洗濯機のリント捕獲箱の外観斜視図
【図４】従来の洗濯機のリント捕獲箱の要部構成図
【図５】同洗濯機のリント捕獲箱の外観斜視図
【符号の説明】
【００４８】
１  洗濯機本体
２  水槽
３  回転槽
４  排水ホース
５  蓋体
６  リント捕獲箱
６ｄ  上縁部
６ｃ  側壁
９  開閉機構の操作部
１０  排水ホース導出部
１１  ゴムパッキン
１３  変形防止リブ
１７  蝶番機構
【図１】
2010088762.tif 000003
【図２】
2010088762.tif 000004
【図３】
2010088762.tif 000005
【図４】
2010088762.tif 000006
【図５】
2010088762.tif 000007